(57)【要約】【要  約】【課  題】この発明の目的は、簡易な構成で、製造コストを低減でき、計器の軽量化が可能な、記録媒体（チャート紙）上に記録を行う記録計を提供することである。【解決手段】測定入力信号に対応して記録媒体に記録を行う記録計において、記録計の筐体の両側面にプリンター機構部の歯車とプリンター移動軸を直に取付け、記録媒体を収納するチャート架台の収納部を筐体内の前面扉側に設けたことにより、シャーシを不要とし、筐体を４枚の平板とフランジ部との接合体と背面板で形成して、製造コストを低減し、軽量化を可能とした。【選択図】図１
2008232986.tif 000002
【特許請求の範囲】
【請求項１】
測定入力信号に対応して記録媒体に記録を行う記録計において、該記録計の筐体の両側面にプリンター機構部の歯車とプリンター移動軸を直に取付け、記録媒体を収納するチャート架台の収納部を前記筐体内の前面扉側に設けたことを特徴とする記録計。
【請求項２】
前記筐体の上面、左右側面及び底面となる４枚の平板とフランジ部とを接合した接合体と端子部が設けられる背面板とで、前記筐体を形成することを特徴とする請求項１記載の記録計。
【発明の詳細な説明】
【技術分野】
【０００１】
この発明は、測定入力信号に対応してステッピングモータやサーボモータ等によってプリンターを移動軸上で移動させて、記録媒体（チャート紙）上に記録を行う記録計に関するものである。
【背景技術】
【０００２】
この種の記録計としては例えば特許文献１に記載されているようなペンを摺動させて記録する記録計がある。従来の構成を図３から図7により説明する。図３は記録計１００の外観を示す斜視図である。図４は記録計１００の前面扉１４０を開けた状態を示す斜視図である。図５は縦断面図、図６と図７は側断面図である。記録計１００はチャート紙を送出するチャートドラム１２１ａとチャート紙の収納部１２１ｂと有するチャート架台１２１、プリンター移動軸１２２ａや歯車１２２ｂからなるチャート機構部１２２、プリンター移動軸１１２ａに沿って移動するペンやインクジェット記録ヘッド等のプリンター１２３からなる記録部と、測定データを表示し記録条件設定を行う表示／設定部１３０と透明部１４１、1４２を有する前面扉１４０と、複数の回路基板（不図示）と、チャート架台１２１を収納するシャーシ１５０と、前面扉１４０が開閉可能に取り付けられるフランジ部１６１を有する筐体１６０とから構成される。筐体１６０には、前面扉１４０と回路基板が配置され、シャーシにはチャート機構部１２２、チャート架台１２１及びプリンター１２３が配置される。
【０００３】
このような記録計では、記録媒体であるチャート紙の交換が必要となる。チャート紙の交換は、図４に示すように前面扉１４０を開け、図７の矢印方向にチャート１２１架台を引き出して行う。チャート架台１２１はシャーシ１５０に不図示のガイドレールなどの案内部材を介して着脱可能に配置されている。チャート紙の交換をした後は、図７の矢印の反対方向に新しいチャート紙をセットしたチャート架台１２１をシャーシ１５０の案内部材に沿って挿入する。するとチャート機構１２２の歯車１２２ｂとチャート架台１２１の歯車が噛み合う。その後、前面扉１４０を閉じて交換が終了する。
【０００４】
図５に示すように、シャーシ１５０は筐体１６０内に挿入.配置され、シャーシ１５０も筐体１６０にガイドレール等の案内部材を介して着脱可能に配置されている。この種の記録計は多くの場合、平坦なパネルに設置されるのでパネルとの取付面となるフランジ１６１を有している。
【０００５】
なお、熱電対や測温抵抗体の測定信号入力端子部、出力端子、通信端子および電源端子部は記録計１の背面板１６２に設けられている。これらの端子部と筐体１６０内の複数の回路基板とは接続ソケットなどを介して接続される。
【特許文献１】特開２０００−１８０２１８号公報
【発明の開示】
【発明が解決しようとする課題】
【０００６】
しかしながら、上述した構成の記録計においては、図５のように断面が矩形の筐体１６０と断面がコの字形状のシャーシ１５０の二重構造となっている。筐体１６０は上側面版と底板とをスポット溶接して接合される。そのスポット溶接の接合片を折り曲げ加工して設ける必要がある。一方、シャーシ１５０は合成樹脂製であり、金型から成型される。また、シャーシ１５０と筐体１６０、シャーシ１５０とチャート架台１２１間には、それぞれガイドレールなどの案内部材を設ける必要がある。これらの要因により、製造コストが嵩むという問題があった。一方で、上記のような構造の記録計も含めて、近年の計器には、軽量化が強く求められている。
【０００７】
この発明の目的は、以上の点に鑑み、簡易な構成で、製造コストを低減でき、計器の軽量化が可能な記録計を提供することである。
【課題を解決するための手段】
【０００８】
上記の課題を達成するため、本発明の請求項１記載の発明は、測定入力信号に対応して記録媒体に記録を行う記録計において、該記録計の筐体の両側面にプリンター機構部の歯車とプリンター移動軸を直に取付け、記録媒体を収納するチャート架台の収納部を前記筐体内の前面扉側に設けたことを特徴とする。
【０００９】
請求項２記載の発明は、前記筐体の上面、左右側面及び底面となる４枚の平板とフランジ部とを接合体と端子部が設けられる背面板とで、前記筐体を形成することを特徴とする請求項１記載の記録計である。
【発明の効果】
【００１０】
この発明は、測定入力信号に対応して記録媒体に記録を行う記録計において、該記録計の筐体の両側面にプリンター機構部の歯車とプリンター移動軸を直に取付け、記録媒体を収納するチャート架台の収納部を前記筐体内の前面扉側に設けたことを特徴とする。このことにより、シャーシが不要となり製造コストの大幅な低減でき、記録計の軽量化も可能な簡易な構成となる。
【００１１】
また、筐体を４枚の平板とフランジ部との接合体と背面板で形成すると、曲げ加工が少なくなって工数が減り、時間ロスを低減でき、製造コストをさらに低減できる。
【発明を実施するための最良の形態】
【００１２】
図１と図２は、この発明の一実施形態を示す概略説明図である。図１は、前面側からの概略縦断面図であり、図２は、概略側断面図である。なお、図１、図２ともに断面図であるが、筐体６を形成するフランジ６１、左側面板６ａ、右側面板６ｂ、上面板６ｃ、底面板６ｄ、背面板６２及び隔壁板６ｈのみを斜線で示している。
【００１３】
図１に示すように、記録計１の筐体６の左側面板6ａと右側面板6ｂにはプリンター機構２の歯車２1とプリンター移動軸２２が直に取付けられており、プロプリンター移動軸２２にはプリンター２３が矢印方向に移動可能に取付けられている。チャート架台３は記録媒体であるチャート紙収納部３１とチャート紙を送るチャートドラム３３からなる。
【００１４】
チャート架台３には、左側面板６ａと右側面板６ｂのそれぞれ設けられたガイドレールである凸形状の案内部材６１１、６１２に係合する断面が凹形状の案内部３１１、３１２が設けられている。これらの案内部材によりチャート架台３の着脱が所定位置で行われる。チャート紙の交換時には、前面扉４を開け、前面側にチャート架台３を案内部材に沿って引き出し、チャート紙の交換をした後は、新しいチャート紙をセットしたチャート架台３を案内部材に沿って挿入する。するとチャート機構２の歯車２１とチャート架台３の歯車が噛み合う。その後、前面扉４を閉じて交換が終了する。
【００１５】
隔壁板６ｈは、チャート架台３下に配置される例えばＣＰＵ等を搭載した回路基板Ｂ１の上部に設けられ、左側面板６ａと右側面板６ｂに接合され、回路基板Ｂ１に搭載された電子部品を保護している。また左右側面板に接合されているので、筐体６の強度を増す効果もある。回路基板Ｂ１がチャート架台の背面側に配置される場合は、隔壁板６ｈを設ける必要はない。
【００１６】
図２は、図１に示した実施形態の側断面図である。図1と同様に、筐体６を構成するフランジ６１、不図示の入出力端子などが設けられる背面板６２、上面板６ｃ、底面板６ｄと隔壁板６ｈに斜線を付している。背面板６２の入出力端子部とマザーボードＢとの接続は不図示の接続ソケットなどで行われ、マザーボードＢに各回路基板Ｂ１、Ｂ２等複数の回路基板が接続される。前面扉４はフランジ６１に図４で示す記録計と同様に、開閉可能に取付けられ、チャート紙や表示部が視認できるように前面側に透明部材が設けられる。
【００１７】
図１、図２に示すように、筐体６は４枚の平板、すなわち左側面板６ａ、右側面板６ｂ、上面板６ｃ、底面板６ｄ、フランジ６１及び背面板６２とで形成される。パネルに設置する場合は、パネル面に所定の開口を設け、記録計１を背面側からパネル面の開口に挿入し、パネル面にフランジ６１をシール材等を間に挟んで、押当て取り付ける。
【００１８】
本発明の記録計によれば、測定入力信号に対応して記録媒体に記録を行う記録計において、記録計の筐体の両側面にプリンター機構部の歯車とプリンター移動軸を直に取付け、記録媒体を収納するチャート架台の収納部を筐体内の前面扉側に設けたことにより、シャーシが不要となり製造コストの大幅な低減でき、記録計の軽量化も可能な簡易な構成となる。また、筐体を４枚の平板とフランジ部との接合体と背面板で形成すると、曲げ加工が少なくなって工数が減り、時間ロスを低減でき、製造コストをさらに低減できる。
【００１９】
以上、本発明における最良に形態について説明したが、この形態による記述及び図面により本発明が限定されることはない。すなわち、この形態に基づいて当業者等によりなされる他の形態、実施例および運用技術等は全て本発明の範疇に含まれることは勿論である。
【図面の簡単な説明】
【００２０】
【図１】この発明の一実施形態を示す概略縦断面図である。
【図２】この発明の一実施形態を示す概略側断面図である。
【図３】従来の記録計の外観斜視図である。
【図４】従来の図３の記録計の前面扉を開けた状態を示す斜視図である。
【図５】従来の記録計の概略縦断面図である。
【図６】従来の記録計の概略側断面図である。
【図７】従来の記録計のチャート架台を引き出した状態の概略側断面図である。
【符号の説明】
【００２１】
１  記録計
２  チャート機構部
２１  歯車
２２  プリンター移動軸
２３  プリンター
３  チャート架台
３１  チャートドラム
３２  チャート紙の収納部
４  前面扉
６  筐体
６ａ  左側面板
６ｂ  右側面板
６ｃ  上面板
６ｄ  底面板
６１  フランジ
６２  背面板
【図１】
2008232986.tif 000003
【図２】
2008232986.tif 000004
【図３】
2008232986.tif 000005
【図４】
2008232986.tif 000006
【図５】
2008232986.tif 000007
【図６】
2008232986.tif 000008
【図７】
2008232986.tif 000009